【手続補正書】
【提出日】平成19年5月8日(2007.5.8)
【手続補正１】
【補正対象書類名】特許請求の範囲
【補正対象項目名】全文
【補正方法】変更
【補正の内容】
【特許請求の範囲】
【請求項１】
筒形のバルブハウジングの内部に、一側に弾接するコイルばねのばね力と他側に加わる圧力回路の内圧との力バランスに応じて移動する弁体を備え、該弁体の移動により開口する弁孔から流出する高圧の流体を、前記バルブハウジングの内部を介して低圧部に解放するリリーフ弁において、
前記コイルばねの外周に嵌装され、該コイルばねの伸縮に追随して伸縮可能な弾性材料製のチューブにより前記コイルばねの外側を覆ってあることを特徴とするリリーフ弁。
【請求項２】
請求項１に記載のリリーフ弁を製造する方法であって、
前記コイルばねの外径よりも大きい内径を有し熱収縮性材料製の前記チューブを用い、該チューブを前記コイルばねに外嵌した後に加熱して収縮させ、前記コイルばねに嵌装する工程を含むことを特徴とするリリーフ弁の製造方法。
【請求項３】
請求項１に記載のリリーフ弁を製造する方法であって、
前記コイルばねの外径よりも小さい内径を有し周方向の一部に欠落部を設けてある前記チューブを用い、該チューブを、前記欠落部を拡げて前記コイルばねの外側に嵌装する工程を含むことを特徴とするリリーフ弁の製造方法。
【手続補正２】
【補正対象書類名】明細書
【補正対象項目名】発明の名称
【補正方法】変更
【補正の内容】
【発明の名称】リリーフ弁及びリリーフ弁の製造方法
【手続補正３】
【補正対象書類名】明細書
【補正対象項目名】０００１
【補正方法】変更
【補正の内容】
【０００１】
本発明は、圧力回路の中途に設けられ、該圧力回路に発生する過剰なピーク圧を低圧部に解放するリリーフ弁、及びその製造方法に関する。
【手続補正４】
【補正対象書類名】明細書
【補正対象項目名】０００８
【補正方法】変更
【補正の内容】
【０００８】
本発明は斯かる事情に鑑みてなされたものであり、弁体の一側に弾接するコイルばね、及び流体の自励振動を抑制し、この振動に起因するうなり音の発生を有効に低減することが可能なリリーフ弁及びその製造方法を提供することを目的とする。
【手続補正５】
【補正対象書類名】明細書
【補正対象項目名】０００９
【補正方法】変更
【補正の内容】
【０００９】
本発明の第１発明に係るリリーフ弁は、筒形のバルブハウジングの内部に、一側に弾接するコイルばねのばね力と他側に加わる圧力回路の内圧との力バランスに応じて移動する弁体を備え、該弁体の移動により開口する弁孔から流出する高圧の流体を、前記バルブハウジングの内部を介して低圧部に解放するリリーフ弁において、前記コイルばねの外周に嵌装され、該コイルばねの伸縮に追随して伸縮可能な弾性材料製のチューブにより前記コイルばねの外側を覆ってあることを特徴とする。
【手続補正６】
【補正対象書類名】明細書
【補正対象項目名】００１０
【補正方法】変更
【補正の内容】
【００１０】
本発明においては、弁体の一側に弾接するコイルばねの外側を、樹脂、ゴム等の弾性材料製のチューブにより覆い、リリーフ動作時に弁体及びコイルばねが配されたバルブハウジングの内部に流出する高圧の流体をチューブの外側に沿って流し、コイルばねのばね線間の隙間を通過することを防止して、この通過により発生するコイルばね及び流体の自励振動を抑制し、この振動に起因するうなり音の発生を低減する。弾性材料製のチューブはコイルばねの伸縮に追随して変形し、コイルばねの伸縮によるリリーフ弁の動作を阻害しない。
【手続補正７】
【補正対象書類名】明細書
【補正対象項目名】００１１
【補正方法】変更
【補正の内容】
【００１１】
また本発明の第２発明に係るリリーフ弁の製造方法は、第１発明のリリーフ弁を製造する方法であって、前記コイルばねの外径よりも大きい内径を有し熱収縮性材料製の前記チューブを用い、該チューブを前記コイルばねに外嵌した後に加熱して収縮させ、前記コイルばねに嵌装する工程を含むことを特徴とする。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
更に本発明の第３発明に係るリリーフ弁の製造方法は、第１発明のリリーフ弁を製造する方法であって、前記コイルばねの外径よりも小さい内径を有し周方向の一部に欠落部を設けてある前記チューブを用い、該チューブを、前記欠落部を拡げて前記コイルばねの外側に嵌装する工程を含むことを特徴とする。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
本発明に係るリリーフ弁においては、リリーフ動作時に弁体の移動により開口する弁孔から流出する高圧の流体がコイルばねの外側を覆うように嵌装されたチューブの外周に沿って流れ、コイルばねの線間隙間の通過が制限されるから、この通過に伴うコイルばね及び流体の自励振動が抑制され、この振動に起因するうなり音の発生を有効に低減することができ、静粛なリリーフ動作を行わせることが可能となり、また本発明に係るリリーフ弁の製造方法においては、コイルばねの外側を覆うチューブを簡易に嵌装することができる等、本発明は優れた効果を奏する。
【手続補正１２】
【補正対象書類名】明細書
【補正対象項目名】００２３
【補正方法】変更
【補正の内容】
【００２３】
以上の如きコイルばね５の外側は、本願発明の特徴であるチューブ６により、略全長に亘って覆われている。このチューブ６は、樹脂、ゴム等の弾性材料製の薄肉のチューブとし、コイルばね５の全周を覆うように嵌装されているのが望ましい。
【手続補正１３】
【補正対象書類名】明細書
【補正対象項目名】００２４
【補正方法】変更
【補正の内容】
【００２４】
図３は、チューブ６の嵌装手順の一例を示す説明図である。図示のチューブ６は、加熱により収縮する性質を有する熱収縮性樹脂のチューブであり、コイルばね５の外径よりもやや大きい内径を有しており、図３（ａ）に示す如く、コイルばね５の一側端部から外側を覆うように外嵌し、その後、図３（ｂ）に示す如く、外側からの加熱により収縮させて、図３（ｃ）に示す如く、コイルばね５の線間に夫々撓み部6a，6a…が生じるように嵌装される。
【手続補正１４】
【補正対象書類名】明細書
【補正対象項目名】００２５
【補正方法】変更
【補正の内容】
【００２５】
このように嵌装されたチューブ６は、コイルばね５の各線間の隙間を、全長に亘って、また全周に亘って覆うこととなり、また、この状態でのコイルばね５の伸縮に対し、各線間の撓み部6a，6a…の撓みの増減を伴って追随することができ、コイルばね５の伸縮動作を阻害しない。なお同様の嵌装は、ゴム等の伸縮性を有する材料からなり、コイルばね５の外径よりも小径のチューブを用い、このチューブを拡径させつつコイルばね５の外側に嵌め込むことによっても実現可能である。
【手続補正１５】
【補正対象書類名】明細書
【補正対象項目名】００２６
【補正方法】変更
【補正の内容】
【００２６】
またチューブ６は、周方向の一部が欠落したチューブとし、欠落部を拡げてコイルばね５の外側に嵌装することもでき、また、金属等の被弾性材料からなるチューブとし、コイルばね５の外側をわずかな隙間を有して覆うようにしてもよい。
【手続補正１６】
【補正対象書類名】明細書
【補正対象項目名】００２９
【補正方法】変更
【補正の内容】
【００２９】
本発明に係るリリーフ弁１においては、バルブハウジング11の内部に配されたコイルばね５の外側がチューブ６により覆われており、前述したリリーフ動作がなされた場合、バルブハウジング11内に流出する流体は、チューブ６に当たり、該チューブ６の外周面とバルブハウジング11の内周面との間の環状の空間を流路としてリリーフ孔３に達することとなり、この流れが、コイルばね５を構成するばね線間の隙間を通流せず、この通流に伴って生じるコイルばね５及び流体の自励振動を抑制することができ、この振動に起因するうなり音の発生を大幅に軽減することができる。
【手続補正１７】
【補正対象書類名】明細書
【補正対象項目名】００３０
【補正方法】変更
【補正の内容】
【００３０】
このような軽減効果は、前述の如く、コイルばね５の全周が、全長に亘ってチューブ６により覆われることにより高められるが、チューブ６によるコイルばね５の被覆が、長さ方向及び周方向の一部を余してなされている場合においても所定の低減効果を得ることが可能である。
【手続補正１８】
【補正対象書類名】明細書
【補正対象項目名】００３１
【補正方法】変更
【補正の内容】
【００３１】
また、チューブ６を弾性材料製とし、前述の如く、コイルばね５のばね線間に撓みを有して嵌装する構成により、コイルばね５の伸縮によるリリーフ動作を阻害することがなく前述した振動及び音の低減効果を得ることができる。
【手続補正１９】
【補正対象書類名】明細書
【補正対象項目名】００３２
【補正方法】変更
【補正の内容】
【００３２】
【図１】本発明に係るリリーフ弁のリリーフ動作前の状態を示す縦断面図である。
【図２】本発明に係るリリーフ弁のリリーフ動作中の状態を示す縦断面図である。
【図３】チューブの嵌装手順の一例を示す説明図である。
【手続補正２０】
【補正対象書類名】明細書
【補正対象項目名】００３３
【補正方法】変更
【補正の内容】
【００３３】
１  リリーフ弁
２  弁孔
４  弁体
５  コイルばね
６  チューブ
10  圧力回路
11  バルブハウジング